(57)【要約】【目的】  本発明は、学習机の天板後部に配置される机上用書棚における照明器具取付装置に関し、天板上の空間を広範囲に渡って利用可能とすることが出来、美観的にも優れた、机上用書棚における照明器具取付装置を提供する事を目的とする。【構成】  机の天板後部に配置され、引出し部材等を左右にスライド自在に保持する机上用書棚において、机上用書棚の背板の左右方向略中央部に照明装置取付部を形成し、照明器具の支柱を、その前面が背板の前面より突出せず照明装置取付部内に納まるように連結したものである。【選択図】   図１１
2007273212.tif 000002
【特許請求の範囲】
【請求項１】
机の天板後部に配置され、引出し部材等を左右にスライド自在に保持する机上用書棚において、机上用書棚の背板の左右方向略中央部に照明装置取付部を形成し、照明器具の支柱を、その前面が背板の前面より突出せず照明装置取付部内に納まるように連結したことを特徴とする机上用書棚における照明器具取付装置。
【請求項２】
机の天板後部に配置され、引出し部材等を左右にスライド自在に保持する机上用書棚において、机上用書棚の背板の左右方向略中央部に照明装置取付部を形成し、照明装置取付部内に納まるよう、照明器具の支柱とカバー保持部材を背板に連結し、カバー体は、カバー保持部材に係脱自在とし、カバー体がカバー保持部材に取付けられた状態で、カバー体の前面は背板の前面とほぼ面一で、支柱と連結ボルトを隠蔽していることを特徴とする机上用書棚における照明器具取付装置
【請求項３】
照明装置取付部は、上端面が開口し、支柱が前面側から納まる大きさの取付用凹部より構成されている事を特徴とする請求項１又は請求項２に記載の机上用書棚における照明器具取付装置。
【請求項４】
照明装置取付部は、上端面が開口し、支柱が前面側から納まる大きさの取付用切欠部より構成されていることを特徴とする請求項１又は請求項２に記載の机上用書棚における照明器具取付装置。
【請求項５】
照明装置取付部は、背板を左右に分割して形成された取付用間隙より構成されていることを特徴とする請求項１又は請求項２に記載の机上用書棚における照明器具取付装置。
【発明の詳細な説明】
【技術分野】
【０００１】
本発明は、学習机の天板後部に配置される机上用書棚における照明器具取付装置に関するものである。
【背景技術】
【０００２】
この種の照明器具取付装置は、上端部に灯具が取り付いた照明器具の支柱を、左右側板の後端部間に配設させた背板の前面側に位置せしめ、支柱の下部を棚部に形成した支柱支持部に支持させ、支柱の上部を背板に形成された連結孔に、前面側から連結ネジにて連結することにより前面側から照明器具を着脱自在に取付け可能としていた。（例えば、特許文献１参照。）
【０００３】
この場合、照明器具の支柱は背板より前方に突出しているので、突出した支柱が邪魔になり、棚部に書籍等をきれいに整理整頓できないだけでなく、棚部を左右にスライドさせることも出来ないので、天板後部の上方空間を自在にレイアウトし、有効に活用することができなかった。
【０００４】
【特許文献１】特許第３６８４１３９号公報
【発明の開示】
【発明が解決しようとする課題】
【０００５】
本発明は、従来の問題点に鑑みて、天板上の空間を広範囲に渡って利用可能とすることが出来、美観的にも優れた、机上用書棚における照明器具取付装置を提供する事を課題とする。
【課題を解決するための手段】
【０００６】
そこで、上記課題を解決する為、本発明が第１の手段として構成したところは、机の天板後部に配置され、引出し部材等を左右にスライド自在に保持する机上用書棚において、机上用書棚の背板の左右方向略中央部に照明装置取付部を形成し、照明器具の支柱を、その前面が背板の前面より突出せず照明装置取付部内に納まるように連結したものである。
【０００７】
次に本発明が第２の手段として構成したところは、机の天板後部に配置され、引出し部材等を左右にスライド自在に保持する机上用書棚において、机上用書棚の背板の左右方向略中央部に照明装置取付部を形成し、照明装置取付部内に納まるよう、照明器具の支柱とカバー保持部材を背板に連結し、カバー体は、カバー保持部材に係脱自在とし、カバー体がカバー保持部材に取付けられた状態で、カバー体の前面は背板の前面とほぼ面一で、支柱と連結ボルトを隠蔽しているものである。
【０００８】
次に本発明が第３の手段として構成したところは、前記第１又は前記第２の手段として構成したところに加え、照明装置取付部は、上端面が開口し、支柱が前面側から納まる大きさの取付用凹部よりなるものである。
【０００９】
次に本発明が第４の手段として構成したところは、前記第１又は前記第２の手段として構成したところに加え、照明装置取付部は、上端面が開口し、支柱が前面側から納まる大きさの取付用切欠部よりなるものである。
【００１０】
次に本発明が第５の手段として構成したところは、前記第１又は前記第２の手段として構成したところに加え、照明装置取付部は、背板を左右に分割して形成された取付用間隙よりなるものである。
【発明の効果】
【００１１】
請求項１に記載の発明によると、照明器具の支柱は前面が背板の前面より突出せず、背板に形成された照明装置取付部内におさまっているので、机上用書棚の背部に設けた引出し部材等が自在に所望位置にスライド出来るので、天板後部の上方空間を自在にレイアウトする事ができ、空間の有効活用を図ることが出来る。
【００１２】
請求項２に記載の発明によると、上記効果に加え、カバー保持部材と支柱を背板に連結し、カバー保持部材に係脱自在にカバー体を取付けて、支柱と連結ボルトを隠蔽したので美観的にすぐれ、カバー体が背板の前面とほぼ面一であるから引出し部材等の移動に支障をきたす事がない。
【００１３】
請求項３に記載の発明によると、請求項1または請求項２に記載の発明による効果に加え、照明装置取付部は上端面が開口する取付用凹部より構成されているので、前面側から支柱を取付ける際、支柱が後方に抜け出す懸念がなく、取付け作業を容易に行うことが出きる。
【００１４】
請求項４、請求項５に記載の発明によると、請求項1または請求項２に記載の発明による効果に加え、照明装置取付部は上端面が開口する取付用切欠部、あるいは、背板を左右に分割して形成された取付用間隙より形成されているので、背板の厚みを支柱の厚みとほぼ同等に形成できるので、机上用書棚のコストダウンを図る事が出きる。、
【発明を実施するための最良の形態】
【００１５】
本発明は、机の天板後部に配置され、引出し部材等を左右にスライド自在に保持する机上用書棚において、机上用書棚の背板の左右方向略中央部に照明装置取付部を形成し、照明装置取付部内に納まるよう、照明器具の支柱とカバー保持部材を背板に連結し、カバー体は、カバー保持部材に係脱自在とし、カバー体がカバー保持部材に取付けられた状態で、カバー体の前面は背板の前面とほぼ面一で、支柱と連結ボルトを隠蔽し、照明装置取付部は、上端面が開口し、支柱が前面側から納まる大きさの取付用凹部よりなるものである。
【実施例】
【００１６】
以下、添付図面の図１〜図２１に基づいて実施例を詳述する。
図１において、符号１は机を示し、符号２は机１の天板１１の後部に着脱自在に備えられた机上用書棚を示し、符号１００は、机１と机上用書棚２からなる学習机を示している。
机１は、天板１１と、天板１１の左右端部下面に配設された左右脚体１２、１２と、左右脚体１２、１２の後端部間に配設された机後板１３等より構成されている。符号１４は、天板１１の下方に収納可能な移動キャビネットを示している。
机上用書棚２は、左右側板２１、２１と、左右側板２１、２１の後端部間を連結する背板３と、背板３に着脱自在で、左右方向に移動自在に取付けられた仕切板部材５・・・と、背板３に着脱自在で、左右方向に移動自在に取付けられた引出し部材６・・・と、背板３に着脱自在で、左右方向に移動自在に取付けられた棚板部材７と、背板３に着脱自在で、左右方向に移動自在に取付けられ、最も接近する上下２本のレール材４、４間の２倍以上の高さ寸法を有する区画部材５５・・・等より構成され、背板３の上端部前面で左右方向略中央部に照明装置８が取付けられている。
【００１７】
背板３は、学習机１００が窓際に設置された時に、外光を取り入れる為に設けられた間隙３０にて上背板３１と下背板３２に上下に分割され、下背板３２には上下方向に所定間隔を有して、左右方向全幅に渡って２本のレール材４、４が設けられている。
そして、上背板３１には、下方側に下背板３２に設けられたレール材４と同一のレール材４が設けられ、該レール材４の所定寸法上方で、上背板３１の上端部前面で左右方向略中央部に形成された照明装置取付部９の左右側に２本のレール材４、４が同一高さで設けられている。
【００１８】
上背板３１に設けられた下側のレール材４と、下背板３２に設けられた上側のレール材４との間隔は、前記引出し部材６の高さ寸法より大きく形成され、下背板３１に設けられた２つのレール材４、４の間隔は、上背板３１に設けられた下側のレール材４と下背板３２に設けられた上側のレール材４との間隔より大きく形成され、上背板３１に設けられた上下２のレール材４、４の間隔と、下背板３１に設けられた下側のレール材４と天板１１の間隔はほぼ同じで、棚板部材７の高さ寸法より大きく、引出し部材６の高さ寸法より小さく形成されている。
【００１９】
レール材４は、図４、図５に示すように背板３（上背板３１、下背板３２）に形成された嵌合溝３３に前面側から密嵌する大きさで、前面が開口し、奥側ほど上側に湾曲する断面円弧状のスリット４１を長さ方向に連続して有するアルミ材の押し出し成形によって形成されている。
【００２０】
仕切板部材５は、高さ寸法が引出し部材６の高さ寸法よりやや大きめの板体５１と、板体５１の裏面にネジ止めされた仕切板係止部材５２より構成されている。
仕切板係止部材５２は、図２０に示す如く、左右挟持突壁５２１、５２１と基板５２２より横断面コ字形に形成された仕切板連結部５２３と、仕切板連結部５２３の上端に連設された係止突条５３より構成され、基板５２２の下部部前面には、、板体５１の裏面に形成された嵌合孔（図示せず。）に嵌入する円柱状の嵌合突起５２４が前方に突出して形成され、嵌合突起５２４の上方には仕切板係止部材５２を板体５１にネジ止め連結するための連結孔５２５が形成されている。
そして、係止突条５３は、レール材４のスリット４１に合致する奥側ほど上側に湾曲する円弧状に、基板５２２、仕切板連結部５２３、嵌合突起５２４と共に合成樹脂材にて一体に成形されている。
【００２１】
仕切板係止部材５２は上記の如く形成され、係止突条５３が板体５１の略中間高さに位置する状態で板体５１の裏面にネジ止め連結にて取付けられる。
そして、仕切板部材５は、係止突条５３の上端をスリット４１の前端に上方からあてがわれ（図７に示す状態）、スリット４１のやや上方位置を回動中心として、仕切板部材５を下方に回動させることで、係止突条５３がスリット４１内に嵌入し、仕切板部材５はレール材４の上下方向に突出し、左右にスライド自在に係止される。
【００２２】
一方、仕切板部材５をレール材４より取外す場合は、板体５１の下端部を手前に持ち上げるようにして、スリット４１のやや上方位置を中心として上方に回動させて、スリット４１より係止突条５３を抜き出す。
尚、符号５４は、仕切板部材５をレール材４に着脱する時に、仕切板部材５を回動させるための回動用逃がし面を示している。
【００２３】
棚板部材７は、左右側板２１、２１間の略半分程度の幅寸法の棚板部７１と、棚板部７１の左右端部下面に配設された左右支持板７２、７２と、左右支持板７２、７２の後端間に配設された棚背板７３と、棚背板７３の裏面にネジ止めされた棚係止部材７４より構成されている。
【００２４】
棚係止部材７４は、連結部７４０と連結部７４０の上端に連設された係止突条７５より、アルミ材の押し出し成形によって、棚板部７１の左右幅よりやや短めに形成されている。係止突条７５は、レール材４のスリット４１に合致する奥側ほど上側に湾曲する円弧状で、棚板部７１の後端面のやや上方に突出する状態に、連結部７４０が棚背板７３および棚板部７１の後端面にネジ止め連結されている。
そして、棚板部材７は、係止突条７５の上端をスリット４１の前端に上方からあてがわれ、スリット４１のやや上方位置を回動中心として、棚板部材７を下方に回動させることで、係止突条７５がスリット４１内に嵌入し、棚板部材７はレール材４の下方で、左右にスライド自在に係止される。
【００２５】
尚、実施例では棚係止部材７４は、棚板部７１（棚背板７３）の左右幅よりやや短めに形成し、図１０の下側に示すように仕切板部材５が棚板部材７の側端に位置した時、仕切板係止部材５２の側突片５２６が、棚係止部材７４の側端面に当接するのを防止している。又、図９に示すように、上背板３１の上側のレール材４、４間に取付けられるように、係止突条７５が棚板部材７の左右端部側にのみ位置する様、棚係止部材７４を左右に分離して設けるようにしても良い。
【００２６】
引出し部材６は、左右側板２１、２１間の略４分の１程度の幅寸法の載置板部６１と、載置板部６１の左右端部下面に配設された左右引出し支持板６２、６２と、左右引出し支持板６２、６２の後端部間に配設された引出し部背板６３と、左右引出し支持板６２、６２間に出入自在に配設された小引出し６４と、引出し部背板６３の裏面にネジ止めされた引出し部係止部材６５より構成されている。
引出し部係止部材６５は、連結部６５０と、連結部６５０の上端に連設された係止突条６６よりアルミ材の押し出し成形によって、載置板６１（引出し部背板６３）の左右幅よりやや短めに形成されている。
【００２７】
係止突条６６は、レール材４のスリット４１に合致する奥側ほど上側に湾曲する円弧状で、載置板６１の後端面のやや上方に突出する状態に、連結部６５０が引出し部背板６３および載置板６１の後端面にネジ止め連結されている。
そして、引出し部材６は、係止突条６６の上端をスリット４１の前端に上方からあてがわれ、スリット４１のやや上方位置を回動中心として、引出し部材６を下方に回動させることで、係止突条６６がスリット４１内に嵌入し、引出し部材６はレール材４の下方向で、左右にスライド自在に係止される。
【００２８】
尚、実施例では引出し部係止部材６５は、載置板６１（引出し部背板６３）の左右幅よりやや短めに形成し、仕切板部材５が引出し部材６の側端に位置した時、仕切板係止部材５２の側突片５２６が引出し部係止部材６５の側端面に当接するのを防止している。
又、上背板３１の上側のレール材４、４間に取付けられるように、係止突条６６が引出し部材６の左右端部側にのみ位置するように、引出し部係止部材６５を左右に分離して設けるようにしても良い。
一方、引出し部材６、棚板部材７をレ−ル材４より取外す場合は、仕切板部材５をレール材４から取外すのと同様にして取外すことが出来る。
【００２９】
区画部材５５は、高さ寸法が上下方向で最も接近するレール部材４、４間の寸法の２倍以上（実施例では３倍弱）の高さ寸法を有する区画板５６と、区画板５６の裏面上端にネジ止めされた区画板係止部材５７より構成されている。
区画板係止部材５７は、アルミ材の押し出し成形によって形成され、上端にレール材４のスリット４１に合致する奥側ほど上側に湾曲する円弧状の係止突条５８を有し、係止突条５８が区画板５６の裏面上端に位置する状態で連結部５７０が区画板５６の裏面にネジ止め連結されている。
そして、区画部材５５は、係止突条５８の上端をスリット４１の前端に上方からあてがわれ、スリット４１のやや上方位置を回動中心として、区画部材５５を下方に回動させることで、係止突条５８がスリット４１内に嵌入し、区画部材５５はレール材４の上下方向に突出し、左右にスライド自在に係止される。
一方、区画部材５５をレ−ル材４より取外す場合は、仕切板部材５をレール材４から取外すのと同様にして取外すことが出来る。
そして、上記仕切板部材５、引出し部材６、棚板部材７、区画部材５５を左右方向にスライドさせる場合はそれぞれの部材の下端部を手前側にやや持ち上げた状態を維持しながら左右に移動させる。  
【００３０】
尚、実施例では、区画部材５５の高さ寸法は引出し部材６の高さ寸法の３倍強に設定され、棚板部材７の高さ寸法は、引出し部材６の高さ寸法よりやや小さく、仕切り部材５の高さ寸法は、引出し部材６の高さ寸法よりやや大きく、レール材４、４に上下方向の間隔は最も狭いところで、引出し部材６の高さ寸法よりやや大きく形成されているので、区画部材５５、５５は、区画部材５５、５５が引出し部材６、あるいは棚板部材７の上方に突出した状態、下方に突出した状態、あるいは上下両方向に突出した状態で引出し部材６、あるいは棚板部材７の左右両側に配設することが出来、広汎で機能的な本立て部を得ることが出来る。
又、実施例では、仕切板部材５は上下方向略４分の３の高さ位置の裏面側がレール材４に取付られるので、引出し部材６、あるいは棚板部材７が取付けられたレール材４に最も近接する上下側のレール材４、４に取付けることが可能で、引出し部材６あるいは棚板部材７上を本立て部として利用できるだけでなく、引出し部材６あるいは棚板部材７を取付けた下方に仕切板部材５を配置すれば（図１０の右側の引出し部材６側）天板１１上の空間に文庫本、ＣＤ−ＲＯＭのケース等を体裁よく整理整頓することが出きる。
【００３１】
照明装置８は、支柱８１と、支柱８１の上端から屈折してほぼ水平方向に延びるアーム８２と該アーム８２の先端に姿勢変更自在に取付けられた照明体８３より構成され、支柱８１は上背板３１に設けられた照明装置取付部９に連結されている。
【００３２】
本発明の第一実施例における照明装置取付部９は、図１１、図１２、図１３に示すように、上端面が開口し、支柱８１が前面側から格納される大きさの取付用凹部９１より構成されている。
そして、取付用凹部９１の背面側に上下方向に所定間隔を有して後方に貫通する連結用貫通孔９２、９２が形成されており、前面側に固着された連結用ナット９３、９３が連結用貫通孔９２、９２内に位置した状態で、上背板３１の裏面側に連結用保持金具９４がネジ止めされ、支柱８１が取付用凹部９１内に位置した状態で、取付用凹部９１内に保持されるカバー保持部材９８に、前面からカバー体９９が係脱自在に取付けられ、取付用凹部９１が閉塞される。
【００３３】
本発明の第二実施例における照明装置取付部９は、図１４、図１５、図１６に示すように、巾寸法は支柱８１の巾寸法よりやや大きく、前面側から支柱８１が格納される大きさの取付用切欠部９１２より構成されている。
そして、取付用切欠部９１２と、背面側に連結用ナット９３、９３が固着された連結用保持金具９４１が、取付用切欠部９１２に対応して上背板３１の裏面側にネジ止めされ、支柱８１が取付用切欠部９１２内に位置した状態で、取付用切欠部９１２内に保持されるカバー保持部材９８に、カバー体９９が前面から係脱自在に取付けられ、取付用切欠部９１２が閉塞される。
【００３４】
本発明の第三実施例における照明装置取付部９は、図１７、図１８、図１９に示すように、上背板３１を左右に分割して、左右上背板３１２、３１１間に形成された、支柱８１の巾寸法よりやや大きく、前面側から支柱８１が納まる大きさの取付用間隙９１３より構成されている。
そして、そして、取付用間隙９１３と、背面側に連結用ナット９３、９３が固着された連結用保持金具９４１が、取付用間隙９１３に対応して左右上背板３１３、３１１間の裏面側にネジ止めされ、支柱８１が取付用間隙９１３内に位置した状態で、取付用間隙９１３内に保持されるカバー保持部材９８に、カバー体９９が前面から係脱自在に取付けられ、取付用間隙９１３が閉塞される。
【００３５】
カバー保持部材９８は、取付用凹部９１または取付用切欠部９１２の周壁内面、または取付用間隙９１３の左右上背板３１２、３１１間、に嵌合する大きさで、正面視略Ｕ字形の前面化粧縁９８１と、前面化粧縁９８１の上端面に形成された後方に突出する左右の上面化粧壁９８２、９８２と、前面化粧縁９８１の内面側端部よリ後方に突出し取付用凹部９１の内面側に嵌合する内向き突壁９８３と、内向き突壁９８３の後端部より内方に所定寸法突出する後壁９８４と、後壁９８４の上端間と上面壁９８２の後端間に渡って連設された上面縁９８５と、上下方向に所定間隔を有し、内向き突壁９８３から内方に突出して、後壁９８４と前面化粧縁９８１間に設けられた係止突条９８６・・・から、合成樹脂材にて一体に形成されることにより、中央部には連結用ナット９３、９３が臨む正面開口部９８７が形成される。
尚、符号９８８・・・は係止突条９８６・・・を内向き突壁９８３に一体に形成するための切り欠きを示し、符号９８９は、カバー体９９の下端部を係止するための係止用孔を示し、符号９８０は、カバー保持部材９８の下端部を取付用凹部９１に連結するために形成された、連結用切欠き部を示している。
【００３６】
カバー体９９は、前面化粧縁９８１内に合致する大きさの正面壁９９１と、正面壁９９１の周端部から後方に突出する上面閉塞用突壁９９２、側方係止用突壁９９３、９９３、下方係止用突壁９９４よりなり、上面閉塞用突壁９９２には支柱の断面形状に合致する支柱用切欠き９９５が、側方係止用突壁９９３、９９３には前記係止突条９８６・・・に対応する位置に後端面が開口した係止案内溝９９６・・・を下端に連設する係止溝９９７・・・が、下方係止用突壁９９４には前記係止用孔９８９に対応して下向き係止突条９９８が、合成樹脂材にて一体に形成されている。
そして、照明装置８の支柱８１には前記連結用ナット９３、９３に対応して、上下方向に長い取付用長孔８１１、８１１が形成されている。
【００３７】
照明装置取付部９と照明装置８の支柱８１は上記の如く構成され、カバー保持部材９８の左右の上面化粧壁９８２、９８２、内向き突壁９８３、後壁９８４と、上面縁９８５を取付用凹部９１または取付用切欠部９１２内、または取付用空間９１３の左右上背板３１２、３１１間に嵌合し、次に、支柱８１をカバー保持部材９８の前側に位置させた状態で、取付用長孔８１１、８１１に連結ボルト９０、９０を貫通させて連結用ナット９３、９３に螺合させることにより、連結用保持金具９４を介して支柱８１は上背板３１に連結される。この状態で、上面縁９８５と後壁９８４の下側は、第一実施例においては取付用凹部９１の底部分９１１と支柱８１１の裏面で、第二および第三実施例においては連結用保持金具９４１と支柱８１１の裏面でそれぞれ挟持され、カバー保持体９８は、取付け凹部９１または取付用切欠部９１２、または取付用間隙９１３内に支柱８１とともに保持される。
【００３８】
次に、カバー体９９の係止案内溝９９６・・・内に係止突条９８６・・・が位置する様、カバー体９９をカバー保持部材９８に前面側から嵌合し、下方にスライドさせて、係止溝９９７・・・を係止突条９８６・・・に係合し、下向き係止突条９９８を係止用孔９８９に係止し、カバー体９９をカバー保持部材９８に取付け、支柱８１および連結ボルト５０、５０の頭部を隠蔽する。
そして、この状態で、カバー体９９、カバー保持部材９８、上背板３１の前面は共に面一となり、棚板部材７、引出し部材６を最上部のレール材４、４間に係脱自在、左右にスライド自在に取付けるのに支障をきたす事がない。
【００３９】
照明装置８は、取付用長孔８１１、８１１の上下方向の寸法の範囲内で上背板３１に対高さ調節可能である。
照明装置８の高さ調節は、先ずカバー体９９を上方にスライドさせて、係止溝９９７・・・と係止突条９８６・・・の係合状態を解除してカバー体９９をカバー保持部材９８より取外し、連結ボルト９０、９０の頭部を露出させて、次に連結ボルト９０、９０と連結用ナット９３，９３との螺合を緩めて、取付用長孔８１１、８１１の上下方向の寸法の範囲内で、照明装置８の高さを所望の位置に調節した後に、再び連結ボルト９０、９０と連結用ナット９３，９３とを螺合させて、照明装置８を固定させることによって行われる。
照明装置を固定した後、係止溝９９７・・・に係止突条９８６・・・を係合させて、カバー保持部材９８にカバー体９９を取付けて連結ボルト９０、９０の頭部を隠蔽する。
すなわち、照明装置８の机上用書棚への取付けおよび取外しと、さらに高さ調節（照明位置の調整）等が前面側から行なえるので、その都度、学習机１００を動かす必要がなく、手軽に作業する事が出来る。さらに、支柱８１が上背板３１の前面側に突出することもないので、書籍等の整理整頓、棚板部材７等の移動に支障をきたす事もない。
【００４０】
尚、実施例では、背板３が外光を取り入れる為に設けられた間隙３０にて上背板３１と下背板３２に上下に分割されているが、間隙３０は複数個の抜き穴であっても良く、又、設けなくても良い。さらに、実施例では２つの引出し部材６、６を備えているが、一つでもよく、それぞれの部材の幅寸法は適宜変更可能である。
【図面の簡単な説明】
【００４１】
【図１】本発明を具備した学習机の正面図
【図２】机上用書棚の引出し部材部分での縦断面図
【図３】机上用書棚の棚板部材部分での縦断面図
【図４】仕切板部材の取付状態を示す要部拡大断面図
【図５】引出し部材の取付状態を示す要部拡大断面図
【図６】区画部材の取付状態を示す要部拡大断面図
【図７】仕切板部材の取付動作の初期状態を示す要部拡大断面図
【図８】２つの引出し部材と、棚板部材と、仕切板部材が上下に重合して取付けらた状態を示す机上用書棚の正面図
【図９】棚板部材が照明装置取付部を跨いで取付けられた状態を示す机上用書棚の正面図
【図１０】各部材の他の配置状態を示す机上用書棚の正面図
【図１１】本発明の第一実施例の照明装置取付部の要部拡大横断面図
【図１２】図１１のＡ−Ａ線要部断面図
【図１３】図１１のＢ−Ｂ線要部断面図
【図１４】本発明の第ニ実施例の照明装置取付部の要部拡大横断面図
【図１５】図１４のＡ−Ａ線要部断面図
【図１６】図１４のＢ−Ｂ線要部断面図
【図１７】本発明の第三実施例の照明装置取付部の要部拡大横断面図
【図１８】図１７のＡ−Ａ線要部断面図
【図１９】図１７のＢ−Ｂ線要部断面図
【図２０】仕切板係止部材の斜視図
【図２１】カバー保持部材とカバー体の斜視図
【符号の説明】
【００４２】
１        机
１１      天板
１２      脚体
１００    学習机
２        机上用書棚
３        背板
３１      上背板
３２      下背板
８        照明器具
８１      支柱
９        照明器具取付部
９０      連結ボルト
９１      取付用凹部
９８      カバー保持部材
９９      カバー体
【図１】
2007273212.tif 000003
【図２】
2007273212.tif 000004
【図３】
2007273212.tif 000005
【図４】
2007273212.tif 000006
【図５】
2007273212.tif 000007
【図６】
2007273212.tif 000008
【図７】
2007273212.tif 000009
【図８】
2007273212.tif 000010
【図９】
2007273212.tif 000011
【図１０】
2007273212.tif 000012
【図１１】
2007273212.tif 000013
【図１２】
2007273212.tif 000014
【図１３】
2007273212.tif 000015
【図１４】
2007273212.tif 000016
【図１５】
2007273212.tif 000017
【図１６】
2007273212.tif 000018
【図１７】
2007273212.tif 000019
【図１８】
2007273212.tif 000020
【図１９】
2007273212.tif 000021
【図２０】
2007273212.tif 000022
【図２１】
2007273212.tif 000023